(57)【要約】【課題】片手操作で紐の長さ調節を行なうことのできる紐固定具を提供する。【解決手段】紐固定具１は、ケース１０と、ロック部材３０と、紐案内部としての紐通し穴３３とを備える。ケース１０は、紐引込みエッジ１７ａから導入された紐を下流側に通すための貫通通路１４を有する。ロック部材３０は、ケース１０内に変位可能に設けられ、ケース１０の係合傾斜面１７ｂに紐を押し付けるように係合して紐の動きを禁止するための係合エッジ３２ａを有する。紐通し穴３３は、ロック部材３０とケース１０との係合箇所よりも下流側の位置で、紐の通過路を形成する。ロック部材１０の係合エッジ３２ａは、ケース１０の引込みエッジ１７ａと紐通し穴３３とを結ぶ仮想接続線ＣＬよりも係合傾斜面１７ｂ側に突出している。【選択図】        図２
2005000231.tif 000002
【特許請求の範囲】
【請求項１】
紐引込みエッジから導入された紐を下流側に通すための貫通通路を有するケースと、
前記ケース内に変位可能に設けられ、前記ケースの係合壁面に紐を押し付けるように係合して紐の動きを禁止するための係合エッジを有するロック部材と、
前記ロック部材と前記ケースとの係合箇所よりも下流側の位置で、紐の通過路を形成する紐案内部とを備え、
前記ロック部材の係合エッジは、前記ケースの紐引込みエッジと前記紐案内部とを結ぶ仮想接続線よりも前記ケースの係合壁面側に突出している、紐固定具。
【請求項２】
前記ロック部材は、前記紐案内部となる紐通し穴を有する、請求項１に記載の紐固定具。
【請求項３】
前記ケースは、前記紐案内部を有する張出し壁を含む、請求項１に記載の紐固定具。
【請求項４】
前記ケースの係合壁面と前記ロック部材の係合エッジとは、紐を介して線状に接触する、請求項１〜３のいずれかに記載の紐固定具。
【請求項５】
前記ケースの係合壁面は、前記紐引込みエッジから下流側に向かってテーパ状に広がる係合傾斜面を有し、
前記ロック部材は、上流側に向かってテーパ状に広がり、その先端に前記係合エッジを形成している係合突出部を有する、請求項４に記載の紐固定具。
【請求項６】
前記ロック部材の係合突出部は、テーパ状傾斜面と逆の位置に、紐の通過路に対してほぼ直交する水平面部を含む、請求項５に記載の紐固定具。
【請求項７】
前記ロック部材を前記ケースの係合壁面に向かって付勢する付勢手段をさらに備える、請求項１〜６のいずれかに記載の紐固定具。
【請求項８】
前記紐の通過路は、前記ロック部材を挟んで左右両側に形成されている、請求項１〜７のいずれかに記載の紐固定具。
【請求項９】
前記ケースの下流側に導き出された左紐と右紐とを接続する接続部材をさらに備える、請求項８に記載の紐固定具。
【請求項１０】
前記接続部材は、人の指によって握られる指掛け張出し部を含む、請求項９に記載の紐固定具。
【請求項１１】
紐引込みエッジから導入された紐を下流側に通すための貫通通路を有するケースと、
前記ケース内に変位可能に設けられ、前記ケースの係合壁面に紐を押し付けるように係合して紐の動きを禁止するための係合エッジを有するロック部材とを備えた紐固定具において、
前記ロック部材と前記ケースとの係合箇所よりも下流側の位置で、紐を下流側に引っ張ることによって生じる紐の直線になろうとする力により、前記ロック部材を前記ケースの係合壁面から離すことを特徴とする、紐固定具。
【請求項１２】
請求項１〜１１のいずれかに記載の紐固定具を背もたれ部の後傾角度調節用紐固定具として用いた乳母車。
【発明の詳細な説明】
【０００１】
【発明の属する技術分野】
この発明は、紐やベルトなどをケースを通過するように引き込み、ケース内でロック部材によってその動きを禁止して位置を固定する紐固定具に関するものである。さらに、上記の紐固定具を背もたれ部の後傾角度調節用紐固定具として用いた乳母車に関するものである。
【０００２】
【従来の技術】
なお、本明細書中で使用する「紐」という用語は、紐、ベルト、テープ等を含むものとして理解されねばならない。
【０００３】
紐固定具は、種々の分野で利用されている。その一つの適用例は、育児器具の背もたれ部の後傾角度調節用固定具である。
【０００４】
本願と同一の出願人は、実開平７−４２４８号公報（特許文献１）において、乳母車の背もたれ部の後傾角度を調節するためのベルトアセンブリを開示した。このベルトアセンブリは、乳母車の背もたれ部の背面側に配置されるものであり、ベルトの長さ調整により背もたれ部の傾斜角度を変更する。
【０００５】
上記の特許文献１に開示されたベルトアセンブリでは、一端が本体フレームに接続された第１および第２ベルトを乳母車の背もたれ部の背面側でバックルを介して接続する。そして、係合凸部と係合凹部との組合せにより、背もたれ部の後傾角度を決定するベルトの長さを固定している。
【０００６】
【特許文献１】
実開平７−４２４８号公報
【０００７】
【発明が解決しようとする課題】
上記の特許文献１に開示されたベルトアセンブリの場合、背もたれ部の後傾角度を変更させようとするとき、まず係合凸部と係合凹部との係合状態を解除し、その解除状態を維持したまま背もたれ部を起こしたり、倒したりすることが必要である。このような背もたれ部の傾斜角度変更操作を片手だけで行なうのは困難であり、両手での操作を余儀なくされる。
【０００８】
この発明の目的は、片手操作で紐の長さ調節を行なうことのできる紐固定具を提供することである。
【０００９】
この発明の他の目的は、片手操作で背もたれ部の傾斜角度を変更することのできる乳母車を提供することである。
【００１０】
【課題を解決するための手段】
この発明に従った紐固定具は、紐引込みエッジから導入された紐を下流側に通すための貫通通路を有するケースと、このケース内に変位可能に設けられ、ケースの係合壁面に紐を押し付けるように係合して紐の動きを禁止するための係合エッジを有するロック部材と、ロック部材とケースとの係合箇所よりも下流側の位置で、紐の通過路を形成する紐案内部とを備える。ロック部材の係合エッジは、ケースの紐引込みエッジと紐案内部とを結ぶ仮想接続線よりもケースの係合壁面側に突出している。
【００１１】
上記の紐固定具によれば、紐案内部よりも下流側の位置で紐を引っ張れば、紐が直線になろうとする力によりロック部材をケースの係合壁面から離すので、ロック状態を片手操作で解除できる。紐から手を離せば、ロック部材をケースの係合壁面から離すように作用する力が消失するので、ロック部材と係合壁面とが当接して両者の係合状態がロックされるようになる。
【００１２】
一つの実施形態では、ロック部材は、紐案内部となる紐通し穴を有する。他の実施形態では、ケースは、紐案内部を有する張出し壁を含む。
【００１３】
好ましくは、ケースの係合壁面とロック部材の係合エッジとは、紐を介して線状に接触する。線状に接触するようにするための具体的な構造として、好ましくは、ケースの係合壁面は、紐引込みエッジから下流側に向かってテーパ状に広がる係合傾斜面を有し、ロック部材は、上流側に向かってテーパ状に広がり、その先端に係合エッジを形成している係合突出部を有する。紐を下流側に引っ張ったときに紐とロック部材とが引っ掛かってロック部材がケースの係合壁面から容易に離れるようにするために、好ましくは、ロック部材の係合突出部は、テーパ状傾斜面と逆の位置に、紐の通過路に対してほぼ直交する水平面部を含む。
【００１４】
一つの実施形態では、紐固定具は、ロック部材をケースの係合壁面に向かって付勢する付勢手段をさらに備える。また、紐の通過路は、ロック部材を挟んで左右両側に形成されている。片手操作を容易に行なうことができるようにするために、好ましくは、ケースの下流側に導き出された左紐と右紐とを接続する接続部材をさらに備える。接続部材は、好ましくは、人の指によって握られる指掛け張出し部を含む。
【００１５】
他の局面において、この発明は、紐引込みエッジから導入された紐を下流側に通すための貫通通路を有するケースと、ケース内に変位可能に設けられ、ケースの係合壁面に紐を押し付けるように係合して紐の動きを禁止するための係合エッジを有するロック部材とを備えた紐固定具において、ロック部材とケースとの係合箇所よりも下流側の位置で、紐を下流側に引っ張ることによって生じる紐の直線になろうとする力により、ロック部材をケースの係合壁面から離すことを特徴とする。
【００１６】
上述の構成の紐固定具は、例えば、乳母車の背もたれ部の後傾角度調節用紐固定具として用いられる。このような乳母車であれば、片手操作で背もたれ部の傾斜角度を変更できる。
【００１７】
【発明の実施の形態】
図１は、この発明の一実施形態である紐固定具１を示す正面断面図である。この紐固定具１は、乳母車の背もたれ部の背面に取付けられて背もたれ部の後傾角度を調節するためのものであり、基本的な構成要素として、ケース１０と、ロック部材３０と、握り部材５０とを備える。
【００１８】
紐固定具１は、連結ベルト２を介して、乳母車の背もたれ部の背面に取付けられる。紐３は、右紐部分３ａと左紐部分３ｂとを含み、これらの右紐部分３ａおよび左紐部分３ｂはケースを通過して、握り部材５０の所でループ状に連結される。左右の紐部分３ａ，３ｂは、その一端が、乳母車の座部の後方両側部から上方に立ち上がって延びている１対の側棒部分に連結されている。左右の紐部分３ａ、３ｂによって背もたれ部の背面を支えているので、左右の紐部分３ａ，３ｂの長さを調節することにより、背もたれ部の傾斜角度は変化する。
【００１９】
例えば、左右の紐部分３ａ，３ｂを下流側（図１において下方に向く側）に引き降ろせば、背もたれ部は上方に向かって起きるようになり、後傾角度が小さくなる。その逆に、紐固定具１による紐の固定状態を解除して左右の紐部分３ａ，３ｂを相対的に上流側に送り出せば、背もたれ部は後方に向かって倒れるようになり、後傾角度が大きくなる。
【００２０】
なお、図１は、紐３に対する固定が解除されている状態を示し、図２は、紐３の図示を省略している。紐３の代わりに、ベルト、テープ等を使用できる。前述したように、本明細書においては、「紐」という用語は、紐、ベルト、テープ等を含む概念として理解しなければならない。
【００２１】
図３〜図５は、ケース１０を示している。図４では、ケース１０の本体収納部１２を縦断面で示している。また、図５は、図４の線５−５に沿って見た断面を示している。
【００２２】
ケース１０は、ロック部材３０の少なくとも一部を変位可能に受け入れるための開口を有する本体収納部１２と、この本体収納部１２の上端から上方に突出して延びている扁平な上部突出プレート部１８とを備える。上部突出プレート部１８は、乳母車の背もたれ部に連結された連結ベルト２を通すためのベルト通しスリット１１を有する。
【００２３】
ケース１０の本体収納部１２は、図４に示すように、１対の本体側壁１７と、各本体側壁１７の上端にある紐引込みエッジ１７ａから導入された紐３ａ，３ｂを下流側に通すための上下貫通通路１４とを有する。また、各本体側壁１７は、紐引込みエッジ１７ａから下流側に向かってテーパ状に広がる係合傾斜面１７ｂを有する。
【００２４】
図４および図５から明らかなように、ケース１０の本体収納部１２には、上下方向に延びる相対的に幅広の広幅溝１５と、広幅溝１５内であってその上方部に位置する相対的に幅が小さい小幅溝１６とを有する。さらに、広幅溝１５を形成している壁に、紙面に対して垂直方向に貫通している貫通小穴１３が設けられている。
【００２５】
図６〜図８はロック部材３０を示す図であり、図６を正面図とすると、図８は背面図である。図７は、図６の線７−７に沿って見た断面図である。
【００２６】
ロック部材３０は、幅方向に長いベース部３１と、このベース部３１の中央領域から上方に立ち上がって延びている柱状部３２とを有する。ベース部材３１は、その外面に指を掛けるのに便宜を与えるための指掛け突起３１ａを有する。
【００２７】
さらに、図１に示すように、ベース部材３１には、左右の紐部分３ａ，３ｂを通過させるための２個の紐通し穴３３が設けられている。図８の背面図から明らかなように、ベース部材３１の背面にはリブ３１ｃが設けられており、このリブ３１ｃの上方領域に紐３ａ、３ｂを受け入れて案内するための紐案内溝３１ｂが形成されている。
【００２８】
図１および図２に示すように、ロック部材３０の柱状部３２は、圧縮ばね４を受け入れるためのばね収納開口３４と、この収納開口３４の上端部において下方に突出しているばね保持突起３５とを含む。
【００２９】
ロック部材３０の柱状部３２の上方部の形状に注目すると、その両側部に、上流側に向かってテーパ状に広がり、その先端に係合エッジ３２ａを形成している係合突出部が設けられている。１対の係合エッジ３２ａは、ケース１０の係合傾斜面１７ｂに紐３ａ，３ｂを押し付けるように係合して紐の動きを禁止するものである。ロック部材３０の各係合突出部は、上記のテーパ状傾斜面と逆の位置に、紐３ａ，３ｂの通過路に対してほぼ直交する水平面部３２ｃを含む。
【００３０】
ロック部材３０の柱状部３２の上方端部分の中央領域には、上下方向にやや長い突条３２ｂが設けられている。この突条３２ｂは、図４に示すケース１０の小幅溝１６に嵌り、ロック部材３０の上下方向の変位を安定して案内する。
【００３１】
図９はばね受け部材５を示す平面図であり、図１０は正面図である。図示するように、ばね受け部材５は、扁平な平板部５ｂと、平板部５ｂの中央部から上方に突出しているばね保持突起５ａと、平板部５ｂの側面から僅かに突出している固定用突起５ｃとを含む。ばね保持突起５ａは、図１および図２に示すように、コイルスプリングの形態となっている圧縮ばね４の下部に嵌り込む。なお、前述したロック部材３０の柱状部３２のばね保持突起３５は、圧縮ばね４の上部に嵌り込む。
【００３２】
ばね受け部材５の平板部５ｂは、ケース１０の広幅溝１５内に嵌り、さらに平板部５ｂの側面にある固定用突起５ｃはケース部材１０の貫通小穴１３に係合する。従って、ばね受け部材５は、ロック部材３０のばね収納開口３４内に位置し、かつケース部材１０に固定される。その結果、ロック部材３０は、ばね４の付勢力により、常に上方へ変位するように、すなわちロック部材３０の係合エッジ３２ａをケース１０の係合傾斜面１７ｂに近づけるように付勢されている。
【００３３】
図１１に断面図を示している握り部材５０は、ケース１０の下流側に導き出された左右の紐部分３ａ，３ｂをループ状に接続する紐通し通路５１と、人の指によって握られる指掛け張り出し部５２とを含む。
【００３４】
図２に示すように、ケース１０の紐引込みエッジ１７ａとロック部材３０の紐通し穴３３とを結ぶ仮想接続線ＣＬを引いたとすると、ロック部材３０の係合エッジ３２ａは、仮想接続線ＣＬよりもケース１０の係合傾斜面１７ｂ側に突出している。
【００３５】
図２には紐３ａ，３ｂが示されていないが、この図を参照して紐の移動を禁止して背もたれ部の傾斜角度を固定している状態を説明する。乳母車の座席に乳幼児が着座している場合、背もたれ部には、乳幼児からの体重が後方に向かって与えられている。この乳幼児から背もたれ部に作用している負荷により、左右の紐部分３ａ，３ｂには上流側に向かう力が作用する。その結果、紐部分３ａ，３ｂに当接しているロック部材３０の係合エッジ３２ａにも上流側へ向かう力が作用し、紐３ａ，３ｂを介して、ロック部材３０の係合エッジ３２ａとケース１０の係合傾斜面１７ｂとが線状に強い圧力で係合し、紐３ａ，３ｂの移動を禁止する。こうして、背もたれ部の傾斜角度は固定される。
【００３６】
なお、ばね４がロック部材３０を上流側に向かって付勢しているので、紐固定具１による紐３ａ，３ｂに対するロック状態を安定に維持できる。また、背もたれ部に負荷がかかっていない状態でも、ばね４による付勢力によってロック状態を実現できる。
【００３７】
背もたれ部を後方に倒して後傾角度を大きくしようとする場合には、次の操作を行なう。すなわち、ロック部材３０のベース部３１の指掛け突起３１ａに指を掛け、ばね４の付勢力に逆らってロック部材３１を下流側に引き降ろす。この状態が図１に示す状態である。図示するように、ロック部材３０の係合エッジ３２ａがケース１０の係合傾斜面１７ｂから離れているので、紐３ａ，３ｂに対する固定が解除される。背もたれ部には乳幼児からの負荷が加わっているので、ロック部材３１を下流側に引き下げれば背もたれ部は自ずと後方に倒れ、後傾角度が大きくなる。この傾斜角度変更操作は、片手でロック部材３０を下方に引き下げるだけで実現できる。
【００３８】
次に背もたれ部を起こして後傾角度を小さくしようとする場合には、次の操作を行なう。この場合には、握り部材５０を片手で掴んで下流側に引く。この操作により、ケース１０の紐引込みエッジ１７ａとロック部材３０の紐通し穴３３との間に位置する紐部分３ａ，３ｂは下流側に引かれて直線になろうとする。この下流側に向かう紐部分３ａ，３ｂの直線力により、ロック部材３０の係合エッジ３２ａにはケース１０の係合傾斜面１７ｂから離すように作用する力が加わるので、紐部分３ａ、３ｂに対する固定が解除される。この状態は、図１に示す状態と同じである。
【００３９】
握り部材５０を下流側に引くことにより、紐部分３ａ，３ｂがケース１０を通って下流側に引出されるので、背もたれ部を起こして傾斜角度を小さくできる。この傾斜角度変更操作は、片手で握り部材５０を紐３ａ，３ｂの下流側に引くだけで実現できる。
【００４０】
図１〜図１１に示した実施形態では、ロック部材３０とケース１０との係合箇所よりも下流側の位置で紐部分３ａ，３ｂの通過路を形成する紐案内部は、ロック部材３０の紐通し穴３３によって形成されていた。このような紐案内部に関しては、必ずしもロック部材に設ける必要は無く、例えば、ケース１０に設けたり、あるいは、ロック部材３０やケース１０とは別の部材に設けるようにしてもよい。
【００４１】
図１２は、ケース１０に紐案内部を設けた実施形態を示している。この実施形態では、係合エッジ３２ａと係合傾斜面１７ｂとの係合箇所よりも下流側に位置するケース１０内に内方張出し壁２０を固定して設け、この内方張出し壁２０に紐通し穴２１を形成している。この実施形態においても、ロック部材３０の係合エッジ３２ａは、ケース１０の紐引込みエッジ１７ａと内方張出し壁２０の紐通し穴２１とを結ぶ仮想接続線ＣＬよりも係合傾斜面１７ｂ側に突出している。この実施形態によっても、片手操作で乳母車の背もたれ部の傾斜角度変更操作を行なうことができる。
【００４２】
紐固定具１の適用範囲として、乳母車に限定されるものではない。この発明に従った紐固定具は、片手操作が必要となる分野において広く適用され得る。
【００４３】
以上、図面を参照してこの発明の実施形態を説明したが、この発明は、図示した形態に限定されるものではない。この発明と同一の範囲内において、あるいは均等の範囲内において、図示した形態に対して種々の修正や変形を加えることが可能である。
【図面の簡単な説明】
【図１】この発明の一実施形態である紐固定具の正面断面図であり、紐に対する固定が解除されている状態を示している。
【図２】紐固定具の正面断面図であり、ロック部材の係合エッジとケースの係合傾斜面とが当接している状態を示している。
【図３】ケースの正面図である。
【図４】ケースの縦断面図である。
【図５】図４の線５−５に沿って見た断面図である。
【図６】ロック部材の正面図である。
【図７】図６の線７−７に沿って見た断面図である。
【図８】ロック部材の背面図である。
【図９】ばね受け部材の平面図である。
【図１０】ばね受け部材の正面図である。
【図１１】握り部材の正面断面図である。
【図１２】この発明の他の実施形態である紐固定具を示す正面断面図であり、ロック部材の係合エッジがケースの係合傾斜面に当接している状態を示している。
【符号の説明】
１  紐固定具、２  連結ベルト、３  紐、３ａ  右紐部分、３ｂ  左紐部分、４  ばね、５  ばね受け部材、５ａ  ばね保持突起、５ｂ  平板部、５ｃ  固定用突起、１０  ケース、１１  ベルト通しスリット、１２  本体収納部、１３  貫通小穴、１４  上下貫通通路、１５  広幅溝、１６  小幅溝、１７  本体側壁、１７ａ  紐引込みエッジ、１７ｂ  係合傾斜面、１８  上部突出プレート部、２０  内方張出し壁、２１  紐通し穴、３０  ロック部材、３１  ベース部、３１ａ  指掛け突起、３１ｂ  紐案内溝、３１ｃ  リブ、３２  柱状部、３２ａ  係合エッジ、３２ｂ  突条、３２ｃ  水平面部、３３  紐通し穴、３４  ばね収納開口、３５  ばね保持突起、５０  握り部材、５１  紐通し通路、５２  指掛け張出し部、ＣＬ  仮想接続線。
【図１】
2005000231.tif 000003
【図２】
2005000231.tif 000004
【図３】
2005000231.tif 000005
【図４】
2005000231.tif 000006
【図５】
2005000231.tif 000007
【図６】
2005000231.tif 000008
【図７】
2005000231.tif 000009
【図８】
2005000231.tif 000010
【図９】
2005000231.tif 000011
【図１０】
2005000231.tif 000012
【図１１】
2005000231.tif 000013
【図１２】
2005000231.tif 000014